(57)【要約】【課題】快適性と省エネルギー性とを両立することができる照明制御装置、照明制御システム及び照明制御方法を提供することである。【解決手段】実施形態の照明制御装置は、動作設定値に応じた光を出力することで空間に光を供給する１以上の照明機器を制御する照明制御装置である。照明制御装置は、取得部、第１制御部及び第２制御部を持つ。取得部は、複数の端末装置から前記空間の照明に関する設定値であるユーザ設定値を取得する。第１制御部は、前記複数の端末装置から取得された複数のユーザ設定値に基づいて、前記複数のユーザ設定値の平均的な値である第１設定値を算出し、前記照明機器の動作設定値を前記第１設定値に設定する。第２制御部は、前記照明機器の動作設定値を前記第１設定値に設定した後、前記動作設定値が所定時間後に予め定められた第２設定値となるように、前記照明機器の動作設定値を徐々に前記第２設定値に近づけていく。【選択図】図２
2019164933.tif 000002
【特許請求の範囲】
【請求項１】
動作設定値に応じた光を出力することで空間に光を供給する１以上の照明機器を制御する照明制御装置であって、
複数の端末装置から前記空間の照明に関する設定値であるユーザ設定値を取得する取得部と、
前記複数の端末装置から取得された複数のユーザ設定値に基づいて、前記複数のユーザ設定値の平均的な値である第１設定値を算出し、算出した前記第１設定値を前記照明機器の動作設定値に設定する第１制御部と、
前記照明機器の動作設定値を前記第１設定値に設定した後、前記動作設定値が所定時間後に予め定められた第２設定値となるように、前記照明機器の動作設定値を徐々に前記第２設定値に近づけていく第２制御部と、
を備える照明制御装置。
【請求項２】
前記第１制御部は、前記１以上の照明機器にアンビエント照明用の第１照明機器とタスク照明用の第２照明機器とが含まれる場合、第１照明機器及び第２照明機器のそれぞれについて第１設定値を算出し、それぞれの第１設定値を予め定められた比率に基づいて重み付けした値を第１照明機器及び第２照明機器の動作設定値に設定する、
請求項１に記載の照明制御装置。
【請求項３】
前記第１制御部は、第２照明機器に関するユーザ設定値が取得されない場合には第１照明機器の動作設定値のみを変更し、第２照明機器に関するユーザ設定値が取得された場合には前記ユーザ設定値に対応する第２照明機器の動作設定値と、前記第２照明機器に対応づけられた第１照明機器の動作設定値とを変更する、
請求項２に記載の照明制御装置。
【請求項４】
前記取得部は、過去の所定期間において前記空間に入場した人の有無を示す入場情報をさらに取得し、
前記第１制御部は、前記入場情報が前記所定期間において前記空間に入場した人が無いことを示す場合に前記照明機器の動作設定値を前記第１設定値に設定する、
請求項１から３のいずれか一項に記載の照明制御装置。
【請求項５】
請求項１から４のいずれか一項に記載の照明制御装置と、
前記照明制御装置宛てに前記ユーザ設定値を示す端末情報を送信する複数の端末装置と、
前記複数の端末装置から前記端末情報を受信し、受信した前記端末情報を前記照明制御装置に転送する通信装置と、
を備え、
前記通信装置は前記複数の端末装置とＢＬＥ（Bluetooth （登録商標）Low Energy）で無線通信する、
照明制御システム。
【請求項６】
前記照明制御装置は前記照明機器に設定した前記第１設定値を、前記通信装置を介して前記複数の端末装置に送信し、
前記端末装置は、前記照明制御装置から通知された前記第１設定値を表示する、
請求項５に記載の照明制御システム。
【請求項７】
前記照明制御装置は前記複数の端末装置から取得されたユーザ設定値の分布を示す分布情報を生成し、生成した分布情報を、前記通信装置を介して前記複数の端末装置に送信し、
前記端末装置は、前記照明制御装置から受信された前記分布情報を表示する、
請求項５又は６に記載の照明制御システム。
【請求項８】
動作設定値に応じた光を出力することで空間に光を供給する１以上の照明機器を制御する照明制御方法であって、
複数の端末装置から前記空間の照明に関する設定値であるユーザ設定値を取得するステップと、
前記複数の端末装置から取得された複数のユーザ設定値に基づいて、前記複数のユーザ設定値の平均的な値である第１設定値を算出し、前記照明機器の動作設定値を前記第１設定値に設定するステップと、
前記照明機器の動作設定値を前記第１設定値に設定した後、前記動作設定値が所定時間後に予め定められた第２設定値となるように、前記照明機器の動作設定値を徐々に前記第２設定値に近づけていくステップと、
を有する照明制御方法。
【発明の詳細な説明】
【技術分野】
【０００１】
本発明の実施形態は、照明制御装置、照明制御システム及び照明制御方法に関する。
【背景技術】
【０００２】
従来、オフィスエリアに設置された照明機器は、対応するリモコン装置を用いて個別に制御されるか、又はビル全体で集中的に制御されるのが一般的であった。照明機器がリモコン装置を用いて個別に制御される場合、その空間の照度や色調は存在する人の好みに合わせて調整されやすい一方、高い省エネルギー効果を生み出すことは難しい。また、照明機器が集中的に制御される場合、ビル全体で省エネルギー性を高めることができる一方で、集中制御によって実現される空間の照度や色調は、必ずしも空間に存在する人にとって快適なものとはならない場合がある。このように、従来の照明制御方法では、快適性と省エネルギー性とを両立できない場合があった。
【先行技術文献】
【特許文献】
【０００３】
【特許文献１】特開２０１４−６００７８号公報
【特許文献２】特開２００２−７５６６４号公報
【特許文献３】特開平９−２８９０８６号公報
【発明の概要】
【発明が解決しようとする課題】
【０００４】
本発明が解決しようとする課題は、快適性と省エネルギー性とを両立することができる照明制御装置、照明制御システム及び照明制御方法を提供することである。
【課題を解決するための手段】
【０００５】
実施形態の照明制御装置は、動作設定値に応じた光を出力することで空間に光を供給する１以上の照明機器を制御する照明制御装置である。照明制御装置は、取得部、第１制御部及び第２制御部を持つ。取得部は、複数の端末装置から前記空間の照明に関する設定値であるユーザ設定値を取得する。第１制御部は、前記複数の端末装置から取得された複数のユーザ設定値に基づいて、前記複数のユーザ設定値の平均的な値である第１設定値を算出し、前記照明機器の動作設定値を前記第１設定値に設定する。第２制御部は、前記照明機器の動作設定値を前記第１設定値に設定した後、前記動作設定値が所定時間後に予め定められた第２設定値となるように、前記照明機器の動作設定値を徐々に前記第２設定値に近づけていく。
【図面の簡単な説明】
【０００６】
【図１】第１の実施形態における照明制御システムの概略を示す図。
【図２】第１の実施形態における照明制御システム１００のシステム構成の具体例を示す図。
【図３】第１の実施形態における端末装置３の機能構成の具体例を示す図。
【図４】第１の実施形態における無線通信装置２の機能構成の具体例を示す図。
【図５】第１の実施形態における照明制御システム１００において機器設定値が決定される処理の流れを示すシーケンス図。
【図６】第１の実施形態における第１制御処理の流れを示すフローチャート。
【図７】第１の実施形態における第２制御処理の流れを示すフローチャート。
【図８】第２の実施形態における照明制御システム１００ａのシステム構成の具体例を示す図。
【図９】第２の実施形態における第２制御処理の具体例を示すフローチャート。
【発明を実施するための形態】
【０００７】
以下、実施形態の照明制御装置、照明制御システム及び照明制御方法を、図面を参照して説明する。
【０００８】
（第１の実施形態）
［概略］
図１は、第１の実施形態における照明制御システムの概略を示す図である。ここでは、一例として、実施形態の照明制御システムがオフィスエリアの照明環境の調整に用いられた例を示す。図１は、天井に８台の照明機器１−１〜１−８と無線通信装置２とが設置されたオフィスエリアＡの居室内に、６人のユーザＰ１〜Ｐ６が活動している状況を表している。例えば、照明機器１−１〜１−８はＬＥＤ（Light Emitting Diode）を用いて構成され、それぞれの動作設定値に応じた光束及び色調の光を出力することでオフィスエリアＡに光を供給する。また、ユーザＰ１〜Ｐ６のそれぞれは個々に端末装置を有し、それぞれの端末装置を用いてオフィスエリアＡの照度又は色調を調整可能である。図１はユーザＰｎ（ｎ＝１、２、…、６）が端末装置３−ｎを有する状況を表している。例えば、端末装置３−ｎは、スマートフォンやタブレット、携帯電話、ノートパソコン等の携帯可能な無線通信端末である。すなわち、端末装置３−ｎは、オフィスエリアＡに設置された照明機器１−１〜１−８が出力する光の光束又は色調を変更するためのリモコン装置として機能する。
【０００９】
一般に照明機器のリモコン装置は、操作対象として設定された１つの照明機器に対してユーザが所望する照度又は色調の設定値（以下「ユーザ設定値」という。）を直接的に通知するものであるのに対して、実施形態の端末装置３−ｎは特定の照明機器１を操作対象としない点で一般的なリモコン装置と異なる。その意味では、端末装置３−ｎは、オフィスフロアＡ全体の照明を調整するリモコン装置ということができる。
【００１０】
具体的には、実施形態の端末装置３−ｎは無線通信装置２との無線通信機能を有し、オフィスフロアＡの照明機器１−１〜１−８に関するユーザ設定値の入力を受け付ける。端末装置３−ｎは、入力されたユーザ設定値を、無線通信装置２を介して図示しない照明制御装置に通知する。照明制御装置は、端末装置３−１〜３−６のそれぞれから通知されたユーザ設定値に基づいて、照明機器１−１〜１−８に適用する動作設定値の値（以下「機器設定値」という。）を決定する。照明制御装置は、決定した機器設定値の値で照明機器１−１〜１−８の動作設定値を更新する。具体的には、照明制御装置が決定した機器設定値を照明機器１−１〜１−８に通知し、照明機器１−１〜１−８が通知された機器設定値の値でそれぞれの動作設定値を更新する。この結果、照明機器１−１〜１−８は機器設定値に応じた光束及び色調の光を出力することになる。
【００１１】
このように、実施形態の照明制御システムは、制御対象の空間（図１におけるオフィスエリアＡであり、以下「照明エリア」という。）の照度及び色調を、複数のユーザが所望する照度及び色調の設定値（ユーザ設定値）に基づいて総合的に決定するものである。なお、図１は、実施形態の照明制御システムの一例を示したものであり、実施形態の照明制御システムに含まれる照明機器、無線通信装置、端末装置の数は図１と異なる数であってもよい。以下、このような機能を持つ実施形態の照明制御システムについて詳細に説明する。以下の説明では、特に区別する必要がない場合、照明機器１−１〜１−８を照明機器１と記載し、端末装置３−１〜３−６を端末装置３と記載する。
【００１２】
［詳細］
図２は、第１の実施形態における照明制御システム１００のシステム構成の具体例を示す図である。照明制御システム１００は、１以上の照明機器１と、無線通信装置２と、複数の端末装置３と、照明制御装置４と、を備える。図２は、１以上の照明機器１の例として照明機器１−１１〜１−１４を示し、複数の端末装置３の例として端末装置３−１１〜３−１４を示す。１以上の照明機器１は同じ照明エリアに配置され、複数の端末装置３はその照明エリアに滞在するユーザによって操作される。
【００１３】
照明制御装置４は、１以上の照明機器１及び複数の端末装置３と通信可能である。図１は、照明制御装置４が有線ＬＡＮ（Local Area Network）２００を介して各照明機器１と通信し、無線通信装置２を介して各端末装置３と通信する例を示している。照明制御装置４は、１以上の端末装置３からそれぞれのユーザ設定値を取得する。照明制御装置４は、取得した各端末装置３のユーザ設定値に基づいて機器設定値を決定し、決定した機器設定値を各照明機器１に通知する。
【００１４】
照明制御装置４は、バスで接続されたＣＰＵ（Central Processing Unit）やメモリや補助記憶装置などを備え、プログラムを実行する。照明制御装置４は、プログラムの実行によって第１通信部４１、第２通信部４２、記憶部４３及び制御部４４を備える装置として機能する。なお、照明制御装置４の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００１５】
第１通信部４１（取得部の一例）は無線通信装置２と通信する通信インタフェースである。第１通信部４１は無線通信装置２と通信線で接続される。第１通信部４１は、無線通信装置２を介して各端末装置３からそれぞれのユーザ設定値を示す端末情報を受信する。第１通信部４１は、受信した端末情報を制御部４４に出力する。
【００１６】
第２通信部４２は、各照明機器１と通信する通信インタフェースである。第２通信部４２はＬＡＮ２００に接続され、ＬＡＮ２００を介して各照明機器１と通信する。具体的には、第２通信部４２は、後述する制御部４４によって決定される機器設定値を通知するための制御情報を各照明機器１に送信する。
【００１７】
記憶部４３は、磁気ハードディスク装置や半導体記憶装置などの記憶装置を用いて構成される。照明制御装置４の動作に必要な情報を記憶する。例えば、記憶部４３には、照明制御装置４が実行するプログラムのデータや、各端末装置３から取得される端末情報、制御部４４によって決定された機器設定値などが記憶される。
【００１８】
制御部４４は、各端末装置３から取得される端末情報に基づいて各照明機器１を制御する。具体的には、制御部４４は端末情報に基づいて各照明機器１の機器設定値を決定する。制御部４４は、制御情報を送信することにより、決定した設定値を各照明機器１に通知する。
【００１９】
図３は、第１の実施形態における端末装置３の機能構成の具体例を示す図である。端末装置３は、バスで接続されたＣＰＵやメモリや補助記憶装置などを備え、プログラムを実行する。端末装置３は、プログラムの実行によって無線通信部３１、表示部３２、入力部３３、記憶部３４及び端末制御部３５を備える装置として機能する。なお、端末装置３の各機能の全て又は一部は、ＡＳＩＣやＰＬＤやＦＰＧＡ等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００２０】
無線通信部３１は、無線通信装置２と通信する無線通信インタフェースである。無線通信部３１は、端末制御部３５から出力される端末情報を無線通信装置２に送信する。送信された端末情報は無線通信装置２によって照明制御装置４に転送される。
【００２１】
表示部３２は、液晶ディスプレイや有機ＥＬ（Electro-Luminescence）ディスプレイ等の表示装置を用いて構成される。表示部３２は、端末制御部３５から出力される情報を表示する。
【００２２】
入力部３３は、端末装置３に対する情報の入力操作を受け付ける入力インタフェースである。例えば、入力部３３は、マウスやキーボードやタッチパネル等の入力装置を用いて構成される。入力部３３は、ユーザ設定値の入力を受け付け、入力されたユーザ設定値を端末制御部３５に出力する。
【００２３】
記憶部３４は、磁気ハードディスク装置や半導体記憶装置などの記憶装置を用いて構成される。記憶部３４は端末装置３の動作に必要な情報を記憶する。例えば、記憶部３４には、端末装置３が実行するプログラムのデータや、端末装置３に入力されたユーザ設定値などが記憶される。
【００２４】
端末制御部３５は、端末装置３が備える各機能部の動作を制御する。具体的には、端末制御部３５は、入力部３３から出力されるユーザ設定値を照明制御装置４に通知するための端末情報を生成し、生成した端末情報を無線通信部３１に出力する。無線通信部３１に出力された端末情報は無線通信装置２を介して照明制御装置４に送信される。
【００２５】
図４は、第１の実施形態における無線通信装置２の機能構成の具体例を示す図である。無線通信装置２は、バスで接続されたＣＰＵやメモリや補助記憶装置などを備え、プログラムを実行する。無線通信装置２は、プログラムの実行によって第１通信部２１、第２通信部２２及び通信制御部２３を備える装置として機能する。なお、無線通信装置２の各機能の全て又は一部は、ＡＳＩＣやＰＬＤやＦＰＧＡ等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００２６】
第１通信部２１は、各端末装置３と通信する無線通信インタフェースである。第１通信部２１は各端末装置３から端末情報を受信する。第１通信部２１は、受信した端末情報を通信制御部２３に出力する。
【００２７】
第２通信部２２は、照明制御装置４と通信する通信インタフェースである。第２通信部２２は照明制御装置４と通信線で接続される。第２通信部２２は、通信制御部２３から出力される端末情報を照明制御装置４に送信する。
【００２８】
通信制御部２３は無線通信装置２の通信を制御する機能を有する。具体的には、通信制御部２３は、端末装置３から受信される端末情報を照明制御装置４に転送する。
【００２９】
図５〜図７は、第１の実施形態における照明制御装置４が各端末装置３から取得される端末情報に基づいて照明機器１を制御する処理の流れを示す図である。まず、図５について説明する。図５は照明制御システム１００において機器設定値が決定される際のシステム全体の処理の流れを示すシーケンス図である。図６は照明制御装置４が機器設定値を決定する処理（以下「第１制御処理」という。）の流れを示すフローチャートである。
【００３０】
まず、照明制御装置４の制御部４４が、無線通信装置２に対してモード変更指示を行う（ステップＳ１０１）。モード変更指示は、無線通信装置２に対する通信モードの変更指示である。例えば、ＢＬＥ（Bluetooth （登録商標）Low Energy）には、ビーコンモードと送受信モードとの２つの通信モードがある。ビーコンモードは、周囲のＢＬＥ対応機器を検出する際の通信モードであり、送受信モードは、他の装置との間で情報の送受信を行う際の通信モードである。
【００３１】
一般に、ＢＬＥによる無線通信を行う第１の通信装置は、まずビーコンモードで動作することにより自装置との通信を要求する第２の通信装置を検出する。そして、第１の通信装置は、第２の通信装置を検出したことに応じて送受信モードに移行することで第２の通信装置との間で情報を送受信することが可能になる。本実施形態では、無線通信装置２と端末装置３とがＢＬＥによって通信する場合を想定する。ステップＳ１０１において、照明制御装置４の制御部４４は、モード変更指示を行うことにより、通信モードをビーコンモードに変更することを無線通信装置２に指示する。
【００３２】
この場合、無線通信装置２の第２通信部２２は、照明制御装置４のモード変更指示に応じて通信モードをビーコンモードに変更する（ステップＳ１０２）。第２通信部２２は、通信モードをビーコンモードに変更した後、ＢＬＥ対応端末の通信電波を受信することによって自装置周辺の端末装置３（以下「周辺端末」という。）を検出する（ステップＳ１０３）。第２通信部２２は、周辺端末を検出すると、検出した周辺端末に端末情報を送信させるためのアドバタイジングパケットを送信する（ステップＳ１０４）。なお、周辺端末の検出やアドバタイジングパケットの送信は、通信制御部２３が第２通信部２２を制御することによって実現されてもよい。
【００３３】
このアドバタイジングパケットはＢＬＥで規定された通信パケットであり、送信元が提供するサービスを受信側に報知するために用いることができる。具体的には、アドバタイジングパケットには、サービスの識別情報としてのＵＵＩＤ（Universally Unique Identifier）が含まれる。アドバタイジングパケットを受信した通信装置は、アドバタイジングパケットに含まれるＵＵＩＤを参照することにより、送信元が提供するサービスを識別することができる。
【００３４】
図５の例では、端末装置３の端末制御部３５が、無線通信装置２から受信されたアドバタイジングパケットに含まれるＵＵＩＤを解析する（ステップＳ１０５）ことによって無線通信装置２が提供するサービスを特定する。端末制御部３５は、特定したサービスに対応するアプリケーション（以下「対応アプリ」という。）を起動する（ステップＳ１０６）。端末制御部３５は、この対応アプリの動作によって、自装置のユーザ設定値を示す端末情報を、無線通信装置２を介して照明制御装置４に送信する。具体的には、端末制御部３５は、最終的な宛先を照明制御装置４とし、直接の送信先を無線通信装置２として端末情報を送信する（ステップＳ１０７）。
【００３５】
なお、端末装置３が端末情報を無線通信装置２に送信する処理は、ステップＳ１０４において無線通信装置２から送信されたアドバタイジングパケットを受信する全ての周辺端末において実行される。すなわち、無線通信装置２は、ステップＳ１０３において検出した全ての端末装置３から端末情報を受信することになる。
【００３６】
なお、サービスと対応アプリとの対応関係を示す情報（以下「対応情報」という。）は予め端末装置３に登録されているものとする。一般に、ＢＬＥを用いた通信が可能な端末装置では、オペレーティングシステムの設定や、アプリケーションのインストールなどによって対応情報が生成又は設定される。例えば、端末制御部３５は、このような機能を有する端末装置３のオペレーティングシステムとして実現されてもよい。
【００３７】
一方、無線通信装置２では、ステップＳ１０４においてアドバタイジングパケットの送信を行うと、第２通信部２２は通信モードを送受信モードに変更する（ステップＳ１０８）。そして、第２通信部２２は、ステップＳ１０７において送信された端末情報を受信する。第２通信部２２は、受信した端末情報を通信制御部２３に出力する。
【００３８】
このとき、通信制御部２３は、端末情報を含む受信パケットの宛先が照明制御装置４であることを識別し、受信パケットを照明制御装置４に転送する（ステップＳ１０９）。具体的には、通信制御部２３は、受信パケットを第１通信部２１に出力する。これにより、端末情報を含む受信パケットが照明制御装置４に送信される。
【００３９】
照明制御装置４では、第１通信部４１が、無線通信装置２によって転送された端末情報を受信し、受信した端末情報を制御部４４に出力する。制御部４４は、取得された端末情報に基づいて第１制御処理を実行する（ステップＳ１１０）。この第１制御処理において、制御部４４は第１の機器設定値（第１設定値の一例）を決定する。制御部４４は、制御情報を送信することにより、決定した第１の機器設定値を各照明機器１に通知する（ステップＳ１１１）。各照明機器１は、照明制御装置４から通知された第１の機器設定値で動作設定値を更新する（ステップＳ１１２）。
【００４０】
続いて、照明制御装置４では、制御部４４が第１制御処理において算出した第１の機器設定値を各端末装置３に通知する。例えば、制御部４４は、ステップＳ１１４と同様の制御情報を送信する（ステップＳ１１３）ことによって各端末装置３に第１の機器設定値を通知してもよい。端末装置３では、無線通信部３１が制御情報を受信し、受信した制御情報を端末制御部３５に出力する。端末制御部３５は、制御情報が示す機器設定値を表示部３２に表示させる（ステップＳ１１４）。このように照明制御装置４によって算出された機器設定値が各端末装置３にフィードバックされることにより、各端末装置３のユーザは、自身の要求がどの程度反映されたかを確認することができる。
【００４１】
さらに、制御部４４は、各端末装置３から取得された端末情報に基づいて各ユーザ設定値の分布を示す情報（以下「分布情報」という。）を生成する（ステップＳ１１５）。制御部４４は、生成した分布情報を、無線通信装置２を介して各端末装置３に送信する（ステップＳ１１６）。端末装置３では、無線通信部３１が分布情報を受信し、受信した分布情報を端末制御部３５に出力する。端末制御部３５は、受信した分布情報を表示部３２に表示させる（ステップＳ１１７）。
【００４２】
例えば、制御部４４は、ユーザ設定値の分布を数値で表す分布情報を生成してもよいし、グラフ形式で表す分布情報を生成してもよい。また、ＧＰＳ（Global Positioning System）などの機能を用いて各端末装置３の位置情報が取得可能である場合、制御部４４は、各端末装置３の位置情報とともに端末情報を収集し、照明エリアのマップ上にそれぞれの設定値に応じた色や大きさで表された端末装置３を表示する分布情報を生成してもよい。各端末装置３においてこのような分布情報が表示されることにより、各端末装置３のユーザは、自身の希望する設定値を他の端末装置３の設定値と比較して客観的に評価することができる。
【００４３】
その一方で、照明制御装置４では、制御部４４が、第１制御処理の実行後に、第２制御処理を実行する（ステップＳ１１８）。第２制御処理は、照明機器１の動作設定値を、第１制御処理において決定された第１の機器設定値から徐々に予め定められた第２の機器設定値（第２設定値の一例）に近づけるように更新していく処理である。この第２制御処理において、例えば、制御部４４は、第３の機器設定値を、第１の機器設定値から第２の機器設定値まで段階的に更新していくとともに、第３の機器設定値を更新の都度各照明機器１に通知することによって、各照明機器１の動作設定値を徐々に第２の機器設定値に近づけていく。各照明機器１は、照明制御装置４から第３の機器設定値が通知されるごとに、動作設定値を通知された第３の機器設定値に更新する（ステップＳ１１８）。第２の機器設定値は予め記憶部４３に記憶されているものとする。
【００４４】
このような第２制御処理は、ユーザの快適性を損なうことなく省エネルギー性を高めることができる。一般に、照明エリアの照度や色調を所定値ずつゆっくりと変化させていった場合、その照明エリアに滞在するユーザは、その変化に気づきにくいことが多いことが知られている。そのため、例えば第２制御処理において、照明機器１を第１の機器設定値よりも少ないエネルギー消費量で動作させるような機器設定値を第２の機器設定値とすることで、ユーザの快適性を損なうことなく省エネルギー性を高めることができる。
【００４５】
また、一般に、ユーザが希望する照度又は色調が、必ずしもユーザの作業に適しているとは限らない。そのため、例えば第２制御処理において、ユーザの作業に適した機器設定値を第２の機器設定値とすることで、ユーザに意識させることなくユーザの作業効率を高めることができる。
【００４６】
このような効果を得るため、第２の機器設定値や、第３の機器設定値を更新する頻度や間隔、増減の幅は、ユーザに照明の変化を感知させないように決定されるとよい。
【００４７】
また、図５では簡単のため、第１制御処理（ステップＳ１１０）が照明制御装置４のモード変更指示（ステップＳ１０１）を起点として実行される処理の流れを示したが、第１制御処理は必ずしも照明制御装置４のモード変更指示を起点として実行される必要はない。例えば、無線通信装置２は、ステップＳ１０９において各端末装置３の端末情報を照明制御装置４に転送した後に第２通信部２２の通信モードをビーコンモードに変更するように構成されてもよい。この場合、ステップＳ１０３〜Ｓ１０９の一連の処理が、無線通信装置２が通信モードをビーコンモードに変更したことに応じて実行されるようにすれば、照明制御装置４は無線通信装置２にモード変更を指示することなく端末情報を収集することができる。
【００４８】
図６は、第１の実施形態における第１制御処理の流れを示すフローチャートである。まず、照明制御装置４において、制御部４４が第１通信部４１によって受信された各端末装置３の端末情報を取得する（ステップＳ２０１）。制御部４４は、取得した端末情報が示す各端末装置３のユーザ設定値に基づいて第１の機器設定値を算出する。
【００４９】
具体的には、制御部４４は、各ユーザ設定値の平均的な値を第１の機器設定値として算出する。例えば、制御部４４は、各ユーザ設定値の平均値を第１の機器設定値として算出する（ステップＳ２０２）。なお、第１の機器設定値には、各ユーザ設定値の平均的な値を示すものであれば、中央値や最頻値などの平均値以外の統計値が用いられてもよい。以下の説明では、平均値や、中央値、最頻値等の統計値を含めて「平均値」という。
【００５０】
また、一般に、照明エリアの明るさに関する設定値としてリモコン装置に入力されるのはルクス値（単位はｌｘ）であり、照明機器１に適用される光束の設定値はルーメン値（単位はｌｍ）である。そのため、制御部４４は、照明機器１と端末装置３との間の距離に応じた光の減衰等を考慮して、ステップＳ２０１で算出した平均値をルクス値からルーメン値に換算する（ステップＳ２０３）。制御部４４は、ルーメン値に換算した平均値を第１の機器設定値として各照明機器１に通知する（ステップＳ２０４）。ここで決定した第１の機器設定値は後述の第２制御処理においても用いられるため、制御部４４は、第１制御処理において決定した第１の機器設定値を記憶部４３に記録する。
【００５１】
なお、図５のステップＳ１１３で各端末装置３に通知される第１の機器設定値は、ユーザが照度の大小を把握しやすいようにルクス値であることが好ましい。そのため、制御部４４は、ルーメン値に換算する前の平均値を記憶部４３に記録しておき、ステップＳ１１３では記憶部４３に記憶されている平均値を第１の設定値として各端末装置３に通知するように構成されてもよい。
【００５２】
図７は、第１の実施形態における第２制御処理の流れを示すフローチャートである。まず、照明制御装置４において、制御部４４が、記憶部４３に記録されている第１の機器設定値及び第２の機器設定値を取得する（ステップＳ３０１）。制御部４４は、取得した第１の機器設定値及び第２の機器設定値に基づいて第３の機器設定値を決定する（ステップＳ３０２）。
【００５３】
例えば、照明機器１の動作設定値の更新間隔が１分であり、第１の機器設定値及び第２の機器設定値の示す光束がそれぞれ５００［ｌｍ］及び４５０［ｌｍ］であるとする。この場合において、各照明機器１の動作設定値が５分後に第２の機器設定値となるようにする場合、制御部４４は、１回の更新における光束の低下量を１０［ｌｍ］と算出し、第１の機器設定値である５００［ｌｍ］から１０［ｌｍ］を減じた４９０［ｌｍ］を第３の機器設定値として決定する。制御部４４は、このように決定した第３の機器設定値を通知するための制御情報を各照明機器１に通知する（ステップＳ３０３）ことで、各照明機器１の動作設定値を第３の機器設定値で更新する。
【００５４】
続いて、制御部４４は、決定した第３の機器設定値が第２の機器設定値に等しいか否かを判定する（ステップＳ３０４）。第３の機器設定値が第２の機器設定値に等しい場合（ステップＳ３０４−ＹＥＳ）、制御部４４は第２制御処理を終了する。一方、第３の機器設定値が第２の機器設定値に等しくない場合（ステップＳ３０４−ＮＯ）、制御部４４は所定時間を待機（ステップＳ３０５）した後に第３の機器設定値を更新し（ステップＳ３０６）、ステップＳ３０３に処理を戻す。
【００５５】
具体的には、制御部４４は、第３の機器設定値の現在値からステップＳ３０２で決定した光束の低下量をさらに減じた値で第３の機器設定値を更新する。例えば、第３の機器設定値の現在値が４９０［ｌｍ］である場合、制御部４４は現在値から１０［ｌｍ］をさらに減じた４８０［ｌｍ］で第３の機器設定値を更新する。
【００５６】
また、ステップＳ３０５における待機時間は、すなわち照明機器１の動作設定値の更新間隔である。待機時間は、動作設定値の更新頻度や、第１の機器設定値から第２の機器設定値への変更にかける時間等によって任意に決定されてよい。このような第３の機器設定値の更新及び通知を繰り返し実行することにより、各照明機器１の動作設定値を、第１の機器設定値から徐々に第２の機器設定値に近づけていくことができる。
【００５７】
このように構成された第１の実施形態の照明制御システム１００では、照明制御装置４が各端末装置３からユーザ設定値を収集し、収集したユーザ設定値の平均値（第１の機器設定値）で各照明機器１の動作設定値を更新する。このような照明機器１の制御が行われることにより、各端末装置３に設定値を入力した全てのユーザの希望をある程度反映しつつ省エネルギー性を高めることが可能になる。
【００５８】
また、第１の実施形態の照明制御システム１００では、照明制御装置４が、各照明機器１の動作設定値を第１の機器設定値で更新した後、所定時間をかけて徐々に第２の機器設定値に近づけていく。このような照明機器１の制御が行われることにより、ユーザの快適性を損なうことなく、省エネルギー性を高めることが可能になる。
【００５９】
以下、第１の実施形態の照明制御装置４の変形例について説明する。第１の実施形態では、照明制御装置４が照明エリアの天井に設置された照明機器１を制御する例について説明した。このような照明機器１は一般にアンビエント照明と呼ばれる。これに対して、照明エリアには人の作業対象を照らすタスク照明が設置される場合もある。例えば、タスク照明の一例としてワーク席ごとに備えられる照明機器が挙げられる。照明制御装置４は、アンビエント照明用の照明機器（以下「アンビエント照明機器」という。）に加え、このようなタスク照明用の照明機器（以下「タスク照明機器」という。）を制御するように構成されてもよい。
【００６０】
例えば、照明制御装置４は、アンビエント照明機器（第１照明機器）とタスク照明機器（第２照明機器）との両方のユーザ設定値を各端末装置３から収集し、タスク照明機器の動作を照明機器１と同様の方法で制御してもよい。例えば、制御部４４は、タスク照明機器に関するユーザ設定値が取得されない場合にはアンビエント照明機器の動作設定値のみを変更し、タスク照明機器に関するユーザ設定値が取得された場合には、取得されたユーザ設定値に対応するタスク照明機器の動作設定値と、タスク照明機器に対応づけられたアンビエント照明機器の動作設定値とを変更してもよい。
【００６１】
また、照明制御装置４は、予め定められたアンビエント照明とタスク照明との比率に基づいてアンビエント照明機器及びタスク照明機器の動作を制御してもよい。例えば、照明制御装置４は、アンビエント照明機器とタスク照明機器との位置関係を示す情報（以下「位置情報」という。）と、アンビエント照明の照度（又は光束）とタスク照明の照度（又は光束）との比率を示す情報（以下「比率情報」という。）と、を予め記憶部４３に記憶しておく。制御部４４は、位置情報に基づいてタスク照明機器の付近に存在するアンビエント照明機器を識別し、タスク照明機器の光束と、タスク照明機器付近に存在するアンビエント照明機器の光束とのそれぞれについて第１の機器設定値を算出する。制御部４４は、アンビエント照明機器及びタスク照明機器のそれぞれについて算出した第１の機器設定値に対して、比率情報が示す比率に基づいて重み付けした値をそれぞれの動作設定値に設定してもよい。また、比率情報は、アンビエント照明の色調とタスク照明の色調との比率を示す情報であってもよい。この場合、制御部４４は、アンビエント照明機器の色調とタスク照明の色調とを比率情報に基づいて制御してもよい。このような比率に基づく制御により、ユーザの快適性と省エネルギー性とのバランスをより細かく調整することが可能になる。
【００６２】
また、近年ではスマートフォンやタブレット等の汎用的な通信端末が普及している。そのため、制御部４４の機能をアプリケーションとして提供することによって、これらの通信端末を実施形態の端末装置３として機能させることができる。その一方で、近年、オフィスフロアの座席割り当てにフリーアドレス制を導入するケースも増えてきている。この場合、座席の利用状況は日によって異なるため、アンビエント照明及びタスク照明の比率を固定することは必ずしも適切でない場合がある。このような場合、各端末装置３は、ユーザが着席した座席の識別情報をユーザ設定値とともに送信するように構成されてもよい。
【００６３】
一般に、スマートフォンやタブレット等の通信端末はＩＣ（Integrated Circuit）タグやＱＲ（Quick Response）コード（登録商標）などから非接触で情報を読み取る機能を備えているものが多い。そのため、座席の識別情報が記録されたＩＣタグやＱＲコードなどが各座席に設置されれば、ユーザは座席の識別情報を容易に端末装置３に入力することができる。この場合、制御部４４は、各端末装置３から取得される座席の識別情報に基づいて座席の利用状況を把握し、アンビエント照明及びタスク照明を比率に基づいて制御するか否かを座席の利用状況に基づいて判定してもよい。また、端末装置３がＧＰＳ（Global Positioning System）等の位置情報取得機能を備えている場合、端末装置３は座席の識別情報に代えて自装置の位置情報をユーザ設定値とともに送信するように構成されてもよい。この場合、制御部４４は、各端末装置３から取得される位置情報に基づいて座席の利用状況を把握してもよい。
【００６４】
また、照明制御装置４はアンビエント照明機器に加えて、タスク照明機器についても第２制御処理を行うように構成されてもよい。この場合、動作設定値を第１の機器設定値から第２の機器設定値まで変化させる際の時間は、タスク照明機器とアンビエント照明機器とで異なってもよい。一般に、照明エリアにいる人はアンビエント照明よりもタスク照明の変化に気づきやすいと考えられる。そのため、制御部４４はタスク照明機器の動作設定値を、アンビエント照明機器よりも長い時間をかけて第２の機器設定値に変更するように構成されてもよい。
【００６５】
（第２の実施形態）
図８は、第２の実施形態における照明制御システム１００ａのシステム構成の具体例を示す図である。照明制御システム１００ａは、照明制御装置４に代えて照明制御装置４ａを備える点、入退管理装置５をさらに備える点で第１の実施形態における照明制御システム１００と異なる。また、照明制御装置４ａは、制御部４４に代えて制御部４４ａを備える点で第１の実施形態の照明制御装置４と異なる。照明制御システム１００ａにおけるその他の構成は第１の実施形態における照明制御システム１００と同様である。そのため、図８において、照明制御システム１００と同様の構成については図２と同じ符号を付すことにより説明を省略する。
【００６６】
入退管理装置５は、照明エリアに対する人の出入りを管理する装置である。例えば、入退管理装置５は、照明エリアの扉の開閉を制御するセキュリティシステムである。入退管理装置５は、照明エリアに対する人の出入りを示す情報（以下「入退情報」という。）を記録するとともに、照明制御装置４ａの要求に応じて入退情報（入場情報の一例）を提供する。なお、入退管理装置５は上記のセキュリティシステムに限定されない。例えば、入退管理装置５は、照明エリアの出入口付近を撮像する画像センサを備え、出入口付近の画像から人を検出することによって照明エリアに対する人の出入りを検出してもよい。
【００６７】
制御部４４ａは、各端末装置３から取得されるユーザ設定値に基づいて照明機器１の制御を行う点で第１の実施形態における制御部４４と同様であるが、照明機器１の動作設定値の更新を行うか否かを入退情報に基づいて判定する点で異なる。
【００６８】
図９は、第２の実施形態における第１制御処理の流れを示すフローチャートである。図９において、第１の実施形態における第１制御処理と同様の処理については図６と同じ符号を付すことにより説明を省略する。
【００６９】
まず、照明制御装置４ａにおいて、制御部４４ａが、端末情報の取得（ステップＳ２０１）に応じて、入退管理装置５から入退情報を取得する（ステップＳ４０１）。ここで取得される入退情報には、過去の所定期間において照明エリアに人が入場したタイミングを示す情報が含まれる。制御部４４ａは、取得した入退情報に基づいて、過去の所定期間において照明エリアに人が入場したか否かを判定する（ステップＳ４０２）。
【００７０】
過去の所定期間において照明エリアに入場した人がいた場合（ステップＳ４０２−ＹＥＳ）、制御部４４ａは照明機器１の動作設定値の変更（ステップＳ２０２〜Ｓ２０４）を行うことなく第１制御処理を終了する。一方、過去の所定期間において照明エリアに入場した人がいなかった場合（ステップＳ２０２−ＮＯ）、ステップＳ２０２〜Ｓ２０４の処理を実行することにより、照明機器１の動作設定値を変更する。
【００７１】
このように構成された第２の実施形態の照明制御システム１００ａでは、過去の所定期間において照明エリアに入場した人がいない場合に、照明制御装置４ａが照明機器１の動作設定値を変更する。一般に、ある照明エリアに所定時間以上滞在している人は照度や色調の変化に気づきにくいことが知られている。一方で、照明エリアに入室した直後の人や、滞在時間が短い人は照度や色調の変化に気づきやすい。そのため、照明エリアに対する人の入場が所定時間以上発生していない場合に照明機器１の制御を実行することで、ユーザの快適性を損なうことなく省エネルギー性を高めることが可能になる。
【００７２】
以上説明した少なくともひとつの実施形態によれば、複数の端末装置３から照明エリアの照明に関する設定値であるユーザ設定値を取得し、取得された複数のユーザ設定値の平均的な値である第１の機器設定値を算出し、照明機器１の動作設定値を第１の機器設定値で更新し、照明機器１の動作設定値を第１の機器設定値に設定した後、動作設定値が所定時間後に予め定められた第２の機器設定値となるように、照明機器１の動作設定値を徐々に第２の機器設定値に近づけていく制御部４４又は４４ａ（第１制御部及び第２制御部の一例）を持つことにより、照明エリアの照明制御においてユーザの快適性と省エネルギー性とを両立することができる。
【００７３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７４】
１００，１００ａ…照明制御システム、１，１−１〜１−８，１−１１〜１−１４…照明機器、２…無線通信装置、２１…第１通信部、２２…第２通信部、２３…通信制御部、３，３−１〜３−６，３−１１〜３−１４…端末装置、３１…無線通信部、３２…表示部、３３…入力部、３４…記憶部、３５…端末制御部、４，４ａ…照明制御装置、４１…第１通信部、４２…第２通信部、４３…記憶部、４４，４４ａ…制御部、５…入退管理装置
【図１】
2019164933.tif 000003
【図２】
2019164933.tif 000004
【図３】
2019164933.tif 000005
【図４】
2019164933.tif 000006
【図５】
2019164933.tif 000007
【図６】
2019164933.tif 000008
【図７】
2019164933.tif 000009
【図８】
2019164933.tif 000010
【図９】
2019164933.tif 000011